(57)【要約】  画像表示領域よりも広いタッチ操作領域を有するタッチパネル３と、タッチ操作領域の画像表示領域外の領域３ｂに形成した操作部と、操作部を操作した指示物に操作感を与える操作感発生部７とを備える。
2013186816.tif 000002
【特許請求の範囲】
【請求項１】
画像表示領域よりも広いタッチ操作領域を有するタッチパネルと、
前記タッチ操作領域の前記画像表示領域外の領域に形成した操作部と、
前記操作部を操作した指示物に操作感を与える操作感発生部とを備える表示装置。
【請求項２】
前記操作部は、前記タッチ操作領域の当該操作部以外の領域と立体的に異なる表面状態であることを特徴とする請求項１記載の表示装置。
【請求項３】
前記操作部は、前記タッチ操作領域の当該操作部以外の領域に対し凸出または凹没した表面状態であることを特徴とする請求項２記載の表示装置。
【請求項４】
前記操作感発生部は、前記指示物による押下に抗して膨張することでその反力を操作感として与えることを特徴とする請求項２記載の表示装置。
【請求項５】
前記操作感発生部は、操作感として前記指示物に振動を与えることを特徴とする請求項１記載の表示装置。
【請求項６】
前記タッチパネルの背面側から前記操作部を照明する照明部と、
前記指示物による操作に応じて前記照明部の照明動作を制御する制御部とを備えることを特徴とする請求項１記載の表示装置。
【請求項７】
前記制御部は、前記操作部の照明を周囲の状況に応じて異なる照明状態に変更することを特徴とする請求項６記載の表示装置。
【発明の詳細な説明】
【技術分野】
【０００１】
この発明は、タッチパネルを備える表示装置に関する。
【背景技術】
【０００２】
例えば、特許文献１には、タッチパネルの操作者にタッチ操作に応じた触感をフィードバックする機構を有したタッチパネル装置が開示されている。
この装置は、開口した操作窓を有するケースと、このケースに収容されるタッチパネルと、タッチパネルの背面側に配置される画像表示装置と、タッチパネルの画像表示装置側かつ操作窓の周囲に対応する位置に設けた帯状の圧電素子とを備え、タッチパネルの操作窓の周囲に対応する部分がケースに固定されており、操作窓を介してタッチパネルがタッチされた際に、圧電素子に電圧が印加されてその長さ方向に収縮し、その後に電圧印加が停止される、という動作を繰り返す。
【先行技術文献】
【特許文献】
【０００３】
【特許文献１】特開２０１１−１７５３６４号公報
【発明の概要】
【発明が解決しようとする課題】
【０００４】
近年では、タッチパネルを用いた操作方法が多様化しており、画像表示領域に重畳したタッチ操作領域のみならず、画像表示領域外の部分も操作に利用されるようになっている。例えば、タッチ操作領域を画像表示領域より広くし、タッチ操作領域の画像表示領域外の領域においても特定の操作に関する操作部を形成した表示装置がある。
アイコン画像や操作ボタン画像を画像表示領域に表示してなる操作部は、操作した指に操作感が与えられなくても、操作により操作部の画像の表示態様が変化する場合が多く、適切に操作できたことを操作者が認識しやすい。【０００５】
しかしながら、画像表示領域外の操作部は、タッチパネル背面側の裏面印刷で操作部の画像が形成されるため、操作しても操作部の画像自体は変化せず、操作した指に操作感が与えられないと、適切に操作できたか否かを判断しにくいという課題があった。
例えば、前の処理結果に戻す“戻る”ボタンが画像表示領域外の領域に形成されている場合において、Ｗｅｂ検索等を順々に行い、その途中で“戻る”ボタンを操作した際に、戻る前と似た検索結果が表示されると、“戻る”ボタンの画像自体は変化せず、操作感も与えられないため、操作者が適切に操作できたかどうかを迷う可能性がある。【０００６】
特許文献１に代表される従来の技術は、操作を行ったことを操作者に実感させるため、タッチ操作に応じた触感をフィードバックさせるものである。
しかしながら、画像表示領域に重畳したタッチ操作領域を対象としているため、上述のような画像表示領域外の操作部に関する課題を解決することはできない。
また、車載用情報機器の表示装置では、運転者は運転に注力する必要があるので、表示内容を十分に視認できない場合がある。特に、タッチ操作領域の画像表示領域外の領域に形成した操作部は、適切に操作できたか否かを認識しにくい。【０００７】
この発明は、上記のような課題を解決するためになされたもので、タッチ操作領域の画像表示領域以外の領域に形成した操作部を操作した指示物に対して適切に操作感を与えることができる表示装置を得ることを目的とする。
【課題を解決するための手段】
【０００８】
この発明に係る表示装置は、画像表示領域よりも広いタッチ操作領域を有するタッチパネルと、タッチ操作領域の画像表示領域外の領域に形成した操作部と、操作部を操作した指示物に操作感を与える操作感発生部とを備える。
【発明の効果】
【０００９】
この発明によれば、タッチ操作領域の画像表示領域以外の領域に形成した操作部を操作した指示物に対して適切に操作感を与えることができるという効果がある。
【図面の簡単な説明】
【００１０】
【図１】この発明の実施の形態１に係る表示装置を示す図である。
【図２】実施の形態１に係る画像表示領域外に形成した操作部を示す図である。
【図３】実施の形態１に係る画像表示領域外に形成した操作部の他の構成例を示す断面図である。
【図４】この発明の実施の形態２に係る表示装置を示す図である。
【図５】実施の形態２に係る画像表示領域外に形成した操作部の他の構成例を示す断面図である。
【図６】この発明の実施の形態３に係る表示装置を示す図である。
【図７】この発明の実施の形態４に係る表示装置を示す図である。
【発明を実施するための形態】
【００１１】
以下、この発明をより詳細に説明するため、この発明を実施するための形態について、添付の図面に従って説明する。
実施の形態１．
図１は、この発明の実施の形態１に係る表示装置を示す図であり、図１（ａ）は、実施の形態１に係る表示装置の正面図、図１（ｂ）は、図１（ａ）のＡ−Ａ線で切った断面を概略的に示す断面矢示図である。図１に示す表示装置１は、例えばスマートフォンやタブレットＰＣ、ＰＮＤ（Ｐｏｒｔａｂｌｅ  Ｎａｖｉｇａｔｉｏｎ  Ｄｅｖｉｃｅ）などの情報処理機器に適用される。表示装置１の筐体ケース２は、図１（ｂ）に示すように、タッチパネル３を組み付ける画像表示面側が開口した箱状の筐体であり、液晶表示パネル４および内部回路５が収納される。
タッチパネル３は、例えば、スペーサ部材を介して２枚の透明電極を重ね合わせた構成を有しており、指示物による押下で局部的に上下の透明電極が接触すると、その押下位置の座標が検出されるようになっている。
【００１２】
また、表示装置１は、図１（ａ）に示すように、タッチパネル３のタッチ操作領域（長手方向サイズａ）が画像表示領域（長手方向サイズｂ）より広く、画像表示領域内に操作領域３ａ（長手方向サイズｃ）が形成されており、画像表示領域外に操作領域３ｂ（長手方向サイズｄ）が形成されている。
操作領域３ａは、その操作部の内容を示す記号または文字がアイコン画像またはボタン画像（１（ａ）の例ではメールアイコン、カメラアイコン、電話のアイコン）として画像表示領域に表示される。これらのアイコン画像またはボタン画像は、指示物によるタッチ操作され、操作内容に応じた処理が実施される。このとき、操作感は発生しない。
【００１３】
操作領域３ｂに対応するタッチパネル３の背面側の領域には、図１（ｂ）に示すように非透光性の印刷を施した印刷部６が形成されている。なお、印刷部６は、操作領域３ｂの操作部の内容を示す記号または文字の部分の非透光性印刷が除かれているか、もしくは、記号または文字の部分の非透光性印刷を除いた後に透光性の印刷を施している。操作部の内容を示す記号または文字の部分は、タッチパネル３の背面側に配置された光源からの光を透過して照明される。
【００１４】
この発明に係る表示装置１は、操作領域３ｂの操作部を押下（図１（ｂ）の矢印方向の操作）すると、操作を行った指やスタイラスペン等の指示物に対し操作感を与える操作感発生部７を備える。操作感発生部７が発生する操作感は、指示物が操作領域３ｂの操作部を押し込んで離す操作を行ったときに発生する操作感覚であって、クリック感や振動等が挙げられる。
【００１５】
図２は、実施の形態１に係る画像表示領域外に形成した操作部を示す図であり、操作領域３ｂの操作部の部分を正面から見た図である。図２に示すように、操作感発生部７は、各操作部の内容を示す記号（または文字）とは若干ずれた位置にある。すなわち、操作領域３ｂの背面側において、記号（または文字）を照明する照明部３ｂ−１と操作感発生部７とが隣接している。このように構成することで、操作部を視覚的に特定するための照明と操作部への操作を触覚的に認識させるための操作感との双方を得ることができる。
【００１６】
図３は、実施の形態１に係る画像表示領域外に形成した操作部の他の構成例を示す断面図である。図３に示す構成では、タッチパネル３の背面側と液晶表示パネル４の表示面側との間、操作感発生部７の背面側に柔軟な透明樹脂８を充填している。透明樹脂８は、透明性が高く、耐衝撃性に強い樹脂であり、例えば、ポリカーボネート（ＰＣ）樹脂、あるいはアクリル樹脂（ポリメタクリル酸メチル（ＰＭＭＡ）樹脂）を使用する。
【００１７】
操作感発生部７で発生した操作感をより効果的に指示物に伝えるには、操作領域３ｂの操作部が押下された分だけ弾性変形することが望ましい。
そこで、タッチパネル３として外部からの荷重で弾性変形するフィルム状の部材で構成された、いわゆるフィルム状タッチパネルを使用する。このとき、液晶表示パネル４や操作感発生部７自体に強い衝撃が加わらないようにするため、図３に示すような透明樹脂８を充填する。これにより、過剰な荷重が透明樹脂８に吸収される。
【００１８】
以上のように、この実施の形態１によれば、画像表示領域よりも広いタッチ操作領域を有するタッチパネル３と、タッチ操作領域の画像表示領域外の領域３ｂに形成した操作部と、操作部を操作した指示物に操作感を与える操作感発生部７とを備える。
このように構成することで、タッチ操作領域の画像表示領域以外の領域３ｂに形成した操作部を操作した指示物に対して適切に操作感を与えることができる。
【００１９】
実施の形態２．
上記実施の形態１では、操作領域３ｂがタッチ操作領域の他の領域と同一平面にある、すなわち同一の表面状態である場合を示した。この構成では、触覚だけで画像表示領域外の操作部であるのか、画像表示領域内の操作部であるのかを区別できない。
そこで、この実施の形態２では、画像表示領域外の操作部をタッチ操作領域の他の領域と立体的に異なる表面状態にしている。例えば、凸出または凹没した表面状態とする。
これにより、触覚により画像表示領域外の操作部をその他の操作部から区別することができる。
【００２０】
図４は、この発明の実施の形態２に係る表示装置を示す図であって、画像表示領域外の操作部が凸出した表面状態を有している。なお、図４（ａ）は、実施の形態２に係る表示装置１Ａを、図１（ａ）のＡ−Ａ線と同様の位置で切った断面を概略的に示す断面矢示図であり、図４（ｂ）は、操作領域３ｂ１の操作部の部分の正面図であり、図４（ｃ）は、操作領域３ｂ１の操作部の他の構成例を示す断面図である。
実施の形態２に係る表示装置１Ａは、上記実施の形態１と同様に、タッチパネル３のタッチ操作領域が画像表示領域よりも広く、画像表示領域内に操作領域３ａが形成されており、画像表示領域外に操作領域３ｂ１が形成されている。
【００２１】
タッチパネル３には、図３で示したフィルム状タッチパネルを使用し、操作領域３ｂ１の操作部に対応する部分を、図４（ａ）に示すようにタッチ操作領域の他の領域に対して盛り上がらせる。操作領域３ｂ１の背面側には、上記実施の形態１と同様に、非透光性の印刷を施した印刷部６を形成する。なお、印刷部６は、操作領域３ｂ１の操作部の内容を示す記号または文字の部分の非透光性印刷が除かれているか、もしくは、記号または文字の部分の非透光性印刷を除いた後に透光性の印刷を施している。
【００２２】
操作領域３ｂ１の操作部の背面側には、操作感発生部として機能する膨張素子９およびその制御回路１０が設置される。膨張素子９は、電気信号の供給によって膨張する素子である。例えば、膨張素子９として、操作領域３ｂ１の操作部の背面側に、電解液の封止構造を有した素子を設ける。この素子は、電気信号が供給されると、内部に気体を発生して膨張する。制御回路１０は、膨張素子９の膨張を制御する制御部であって、操作部が押下操作している操作部に対応する膨張素子９に電気信号を供給する。
【００２３】
操作領域３ｂ１の凸出した操作部を押下すると、制御回路１０が、タッチパネル３のタッチ検出信号を読み取り、当該操作部に対応する位置の膨張素子９に電気信号を供給する。膨張素子９は、制御回路１０から電気信号が供給されると、指示物の押下操作に抗して膨張し、さらに押下すると押し込まれる。このときの反力の遷移は、操作感（クリック感）として指示物に与えられる。
【００２４】
また、図４（ｂ）に示すように、膨張素子９および制御回路１０は、各操作部の内容を示す記号（または文字）とは若干ずれた位置にある。すなわち、操作領域３ｂ１の背面側において、記号（または文字）を照明する照明部３ｂ−１と膨張素子９および制御回路１０とが隣接している。このように構成することで、操作部を視覚的に特定するための照明と操作部への操作を触覚的に認識させるための操作感との双方を得ることができる。
【００２５】
さらに、図４（ｃ）に示すように、タッチパネル３の背面側と液晶表示パネル４の表示面側との間、制御回路１０の背面側に、図３の構造と同様に柔軟な透明樹脂８を充填してもよい。タッチパネル３を介して膨張素子９の膨張による反力を指示物に伝える必要があるため、実施の形態２では、タッチパネル３としてフィルム状タッチパネルが望ましい。
従って、液晶表示パネル４や膨張素子９および制御回路１０に強い衝撃が加わらないようにするため、透明樹脂８を充填する。これにより、過剰な荷重が透明樹脂８に吸収される。
【００２６】
図５は、実施の形態２に係る画像表示領域外に形成した操作部の他の構成例を示す断面図である。図５に示す表示装置１Ｂは、図４の構成とは反対に、画像表示領域外の操作部が凹没した表面状態を有している。表示装置１Ｂにおいても、タッチパネル３のタッチ操作領域が画像表示領域よりも広く、画像表示領域内に操作領域３ａが形成されており、画像表示領域外に操作領域３ｂ２が形成されている。
【００２７】
操作領域３ｂ２の操作部に対応する部分を、図５に示すように、タッチ操作領域の他の領域に対して凹ませる。操作領域３ｂ２の背面側には、上記実施の形態１と同様に、非透光性の印刷を施した印刷部６を形成する。操作領域３ｂ２の操作部の背面側には、操作感発生部を構成する膨張素子９およびその制御回路１０が設置される。
【００２８】
操作領域３ｂ２の凹没した操作部を押下すると、制御回路１０が、タッチパネル３のタッチ検出信号を読み取り、当該操作部に対応する位置の膨張素子９に電気信号を供給する。膨張素子９は、制御回路１０から電気信号が供給されると、指示物の押下操作に抗して膨張し、さらに押下すると押し込まれる。このときの反力の遷移は、凸出した操作部の場合と同様に、操作感（クリック感）として指示物に与えられる。
【００２９】
上記説明では、画像表示領域外の操作部が凸出または凹没した構成を示したが、本発明は、これに限定されるものではない。すなわち、触覚によって画像表示領域外の操作部を認識できる程度にその他の領域とは立体的に異なる表面状態であればよい。
例えば、操作部を凸または凹形状とするのではなく、操作領域３ｂ１全体の表面を細かな凹凸としたディンプル形状としたり、操作領域３ｂ１全体の表面状態にざらつきを持たせたりすることが考えられる。
【００３０】
また、表面状態が凸出または凹没した操作部に膨張素子９および制御回路１０を設ける場合を示したが、上記実施の形態１と同様に、平坦な操作部に膨張素子９および制御回路１０を設け、押下操作に抗して膨張（平坦な状態から盛り上がらせる）させて、指示物に反力（操作感）を与える構成であってもよい。
【００３１】
以上のように、この実施の形態２によれば、操作領域３ｂ１（または操作領域３ｂ２）の操作部が、タッチ操作領域の当該操作部以外の領域と立体的に異なる表面状態である。
特に、タッチ操作領域の当該操作部以外の領域に対して凸出または凹没した表面状態とする。このように構成することで、触覚によって画像表示領域外の操作部をその他の操作部から区別することができる。例えば、車載用情報機器の場合、運転に注力して表示装置を見ることができないため、触覚による操作部の認識は有効である。
【００３２】
また、この実施の形態２によれば、膨張素子９と制御回路１０が、指示物による押下に抗して膨張することでその反力を操作感として与えるので、操作領域３ｂ１（または操作領域３ｂ２）に形成した操作部を操作した指示物に対して、適切に操作感を与えることができる。
【００３３】
実施の形態３．
図６は、この発明の実施の形態３に係る表示装置を示す図であり、実施の形態３に係る表示装置１Ｃは、画像表示領域外の操作部を操作した指示物に対して振動を操作感として与える。なお、図６（ａ）は、実施の形態３に係る表示装置１Ｃを、図１（ａ）のＡ−Ａ線と同様の位置で切った断面を概略的に示す断面矢示図であり、図６（ｂ）は、画像表示領域外の操作部の部分の正面図であり、図６（ｃ）は、画像表示領域外の操作部の他の構成例を示す断面図である。実施の形態３に係る表示装置１Ｃは、上記実施の形態１と同様に、タッチパネル３のタッチ操作領域が画像表示領域よりも広く、画像表示領域内に操作領域３ａが形成されており、画像表示領域外に操作領域３ｂが形成されている。
【００３４】
操作領域３ｂの表面状態は、タッチ操作領域の他の領域と同一である。また、操作領域３ｂの背面側には、上記実施の形態１と同様に、非透光性の印刷を施した印刷部６が形成される。なお、印刷部６は、操作領域３ｂの操作部の内容を示す記号または文字の部分の非透光性印刷が除かれているか、もしくは記号または文字の部分の非透光性印刷を除いた後に透光性の印刷を施している。
操作領域３ｂの操作部の背面側には、操作感発生部として機能する振動回路１１が設置される。振動回路１１は、電気信号の供給によって振動する振動素子と、これに電気信号を供給する制御回路から構成される。振動素子としては、例えば圧電素子が利用される。
【００３５】
操作領域３ｂの操作部を押下すると、振動回路１１が、タッチパネル３のタッチ検出信号を読み取り、当該操作部に対応する振動素子に電気信号を供給する。振動素子は、電気信号が供給されると振動して、タッチパネル３に伝達する。この振動が操作感として指示物に与えられる。
【００３６】
また、図６（ｂ）に示すように、振動回路１１は、各操作部の内容を示す記号（または文字）とは若干ずれた位置にある。すなわち、操作領域３ｂの背面側において、記号（または文字）を照明する照明部３ｂ−１と振動回路１１とが隣接している。このように構成することで、操作部を視覚的に特定するための照明と操作部への操作を触覚的に認識させるための操作感との双方を得ることができる。
【００３７】
さらに、図６（ｃ）に示すように、タッチパネル３の背面側と液晶表示パネル４の表示面側との間、振動回路１１の背面側に、図３の構造と同様に柔軟な透明樹脂８を充填してもよい。タッチパネル３を介して振動素子の振動を指示物に伝える必要があるため、実施の形態３では、タッチパネル３としてフィルム状タッチパネルが望ましい。
従って、液晶表示パネル４や振動回路１１に強い衝撃が加わらないようにするために、透明樹脂８を充填する。これにより、過剰な荷重が透明樹脂８に吸収される。
【００３８】
以上のように、この実施の形態３によれば、振動回路１１が、操作感として指示物に振動を与えるので、タッチ操作領域の画像表示領域以外の領域３ｂに形成した操作部を操作した指示物に対して適切に操作感を与えることができる。
【００３９】
なお、上記実施の形態３は、図１の構成における操作感発生部７として振動回路１１を設ける場合を示したが、上記実施の形態２の構成、すなわち図４の構成における膨張素子９および制御回路１０の代わりに振動回路１１を設けてもよい。このように構成しても、上記と同様の効果を得ることができる。
【００４０】
実施の形態４．
図７は、この発明の実施の形態４に係る表示装置を示す図であり、図７（ａ）は、実施の形態１に係る画像表示領域外の操作部の正面図を示し、図７（ｂ）は、図７（ａ）のＢ−Ｂ線で切った概略的な断面図および内部回路５の機能ブロックを示している。
図７に示す表示装置１Ｄは、例えば上記実施の形態３と同様に画像表示領域外の操作部を操作した指示物に振動を操作感として与える。
【００４１】
操作領域３ｂの背面側には、上記実施の形態１と同様に、非透光性の印刷を施した印刷部６が形成される。なお、印刷部６は、操作領域３ｂの操作部の内容を示す記号または文字の部分の非透光性印刷が除かれているか、もしくは記号または文字の部分の非透光性印刷を除いた後に透光性の印刷を施している。また、操作部の内容を示す記号または文字の部分は、図７（ｂ）に示すように、タッチパネル３の背面側に配置された光源１２からの光を透過して照明される。
【００４２】
図７（ａ）に示すように、振動回路１１は、各操作部の内容を示す記号（または文字）とは若干ずれた位置にある。すなわち、操作領域３ｂの背面側において、記号（または文字）を照明する照明部３ｂ−１と振動回路１１が隣接している。このように構成することで、操作部を視覚的に特定するための照明と操作部への操作を触覚的に認識させるための操作感との双方を得ることができる。
【００４３】
内部回路５は、機能ブロックとして制御部５ａおよび点灯制御部５ｂを備える。制御部５ａは、指示物による操作に応じて点灯制御部５ｂによる光源１２の点灯動作を制御する制御部である。また、点灯制御部５ｂは、制御部５ａからの制御に従い、光源１２の点灯動作を制御する制御部である。
【００４４】
制御部５ａは、指示物による操作に応じて点灯制御部５ｂによる光源１２の点灯動作を制御することで、指示物による操作に応じた照明状態とする。例えば、操作前は操作部を赤色の光で照明し、指示物による操作に応じて青色の光で照明する。ここで、赤色の照明は、情報処理が停止中であることを示し、青色の照明は、指示物による操作に応じた情報処理が進行中であることを示している。
【００４５】
また、制御部５ａは、ナビゲーションシステム１３から取得した時間情報、速度情報、移動量情報に基づいて周囲の状況を判別し、判別した周囲の状況に応じた照明状態になるように点灯制御部５ｂを制御する。
すなわち、制御部５ａには、時間情報、速度情報および移動量情報から判別される周囲状況に対応付けられた各種の点灯パターンがあらかじめ設定されており、光源１２が、ナビゲーションシステム１３から取得した各種情報に対応する周囲状況の点灯パターンとなるように点灯制御部５ｂを制御する。点灯パターンは、光源１２による照明の輝度（光の明るさ）、色度（光の色味）、連続点灯または非連続点灯（点滅）の違いで規定される。
【００４６】
例えば、表示装置１Ｄが車載用情報機器に搭載されている場合、速度が中低速であり、移動量が所定範囲以下であると、高速かつ長時間走行している場合と比較して運転に注力しなくてもよい状況であるため、照明の輝度および色味を所定値以下とし、周期の長い点滅を行う点灯パターンとする。これにより、車両バッテリの電力消費も低減できる。
一方、速度が高速であり、移動量が所定範囲を超えると、通常よりも運転に注力しなければならない状況であるため、照明の輝度および色味を所定値を超える値とし、連続点灯または周期の短い点滅を行う点灯パターンとして操作部の視認性を上げる。これにより、運転者は、瞬時に表示装置１Ｄの操作部（画像表示領域外の操作部）を視認することができる。
【００４７】
また、時間情報としては、ナビゲーションシステム１３と連動して通学路付近を走行している場合に通学時間帯であれば、上述の視認性を上げる点灯パターンとすることが考えられる。画像表示領域外の操作部は、あらかじめ決められた操作内容（“戻る”、“検索”、“メニュー表示”など）に対応し、また画像表示領域内の操作部に比べて簡単な操作方法（タッチ操作など）を受け付ける操作部である。このため、車両の運転時であっても操作される可能性が高い。そこで、上述の点灯パターンで照明することで、さらに利便性を向上できる。
なお、時間情報、速度情報、移動量情報から判別される周囲状況と各種の点灯パターンとの対応関係は、入力装置を用いてユーザが適宜設定できるようにしてもよい。
【００４８】
ナビゲーションシステム１３は、経路探索、経路案内および地図表示といったナビゲーション処理を行うナビゲーションシステムである。実施の形態１に係る表示装置１Ｄは、ナビゲーションシステム１３とは別の車載用情報機器の表示装置であってもよく、ナビゲーションシステム１３に搭載された表示装置であってもよい。
なお、ナビゲーションシステム１３は、ＧＰＳ（Ｇｌｏｂａｌ  Ｐｏｓｉｔｉｏｎｉｎｇ  Ｓｙｓｔｅｍ）受信機により受信されたＧＰＳ電波の解析結果から、時間情報や自車両の位置情報（緯度経度）を取得する。また、加速度センサ等による自立航法装置を利用して位置情報を検出してもよい。
【００４９】
以上のように、この実施の形態４によれば、画像表示領域外の操作部をタッチパネル３の背面側から照明する照明部３ｂ−１と、指示物による操作に応じて照明部３ｂ−１の照明動作を制御する制御部５ａおよび点灯制御部５ｂとを備える。このように構成することで、上記実施の形態と同様の効果が得られるとともに、画像表示領域外の操作部の視認性および利便性を向上させることができる。
【００５０】
また、この実施の形態４によれば、制御部５ａおよび点灯制御部５ｂが、操作部の照明を周囲の状況に応じて異なる照明状態に変更するので、画像表示領域外の操作部の視認性および利便性を向上させることができる。
【００５１】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５２】
この発明に係る表示装置は、タッチ操作領域の画像表示領域以外の領域に形成した操作部を操作した指示物に対して適切に操作感を与えることができるので、走行中など、画像表示領域を視認できない環境におかれる可能性がある車載用情報機器の表示装置に好適である。
【符号の説明】
【００５３】
１，１Ａ〜１Ｄ  表示装置、２  筐体ケース、３  タッチパネル、３ａ，３ｂ，３ｂ１，３ｂ２  操作領域、３ｂ−１  照明部、４  液晶表示パネル、５  内部回路、５ａ  制御部、５ｂ  点灯制御部、６  印刷部、７  操作感発生部、８  透明樹脂、９  膨張素子、１０  制御回路、１１  振動回路、１２  光源、１３  ナビゲーションシステム。
【図１】
2013186816.tif 000003
【図２】
2013186816.tif 000004
【図３】
2013186816.tif 000005
【図４】
2013186816.tif 000006
【図５】
2013186816.tif 000007
【図６】
2013186816.tif 000008
【図７】
2013186816.tif 000009
【手続補正書】
【提出日】平成26年6月23日(2014.6.23)
【手続補正１】
【補正対象書類名】明細書
【補正対象項目名】全文
【補正方法】変更
【補正の内容】
【発明の詳細な説明】
【技術分野】
【０００１】
この発明は、タッチパネルを備える表示装置に関する。
【背景技術】
【０００２】
例えば、特許文献１には、タッチパネルの操作者にタッチ操作に応じた触感をフィードバックする機構を有したタッチパネル装置が開示されている。
この装置は、開口した操作窓を有するケースと、このケースに収容されるタッチパネルと、タッチパネルの背面側に配置される画像表示装置と、タッチパネルの画像表示装置側かつ操作窓の周囲に対応する位置に設けた帯状の圧電素子とを備え、タッチパネルの操作窓の周囲に対応する部分がケースに固定されており、操作窓を介してタッチパネルがタッチされた際に、圧電素子に電圧が印加されてその長さ方向に収縮し、その後に電圧印加が停止される、という動作を繰り返す。
【先行技術文献】
【特許文献】
【０００３】
【特許文献１】特開２０１１−１７５３６４号公報
【発明の概要】
【発明が解決しようとする課題】
【０００４】
近年では、タッチパネルを用いた操作方法が多様化しており、画像表示領域に重畳したタッチ操作領域のみならず、画像表示領域外の部分も操作に利用されるようになっている。例えば、タッチ操作領域を画像表示領域より広くし、タッチ操作領域の画像表示領域外の領域においても特定の操作に関する操作部を形成した表示装置がある。
アイコン画像や操作ボタン画像を画像表示領域に表示してなる操作部は、操作した指に操作感が与えられなくても、操作により操作部の画像の表示態様が変化する場合が多く、適切に操作できたことを操作者が認識しやすい。
【０００５】
しかしながら、画像表示領域外の操作部は、タッチパネル背面側の裏面印刷で操作部の画像が形成されるため、操作しても操作部の画像自体は変化せず、操作した指に操作感が与えられないと、適切に操作できたか否かを判断しにくいという課題があった。
例えば、前の処理結果に戻す“戻る”ボタンが画像表示領域外の領域に形成されている場合において、Ｗｅｂ検索等を順々に行い、その途中で“戻る”ボタンを操作した際に、戻る前と似た検索結果が表示されると、“戻る”ボタンの画像自体は変化せず、操作感も与えられないため、操作者が適切に操作できたかどうかを迷う可能性がある。
【０００６】
特許文献１に代表される従来の技術は、操作を行ったことを操作者に実感させるため、タッチ操作に応じた触感をフィードバックさせるものである。
しかしながら、画像表示領域に重畳したタッチ操作領域を対象としているため、上述のような画像表示領域外の操作部に関する課題を解決することはできない。
また、車載用情報機器の表示装置では、運転者は運転に注力する必要があるので、表示内容を十分に視認できない場合がある。特に、タッチ操作領域の画像表示領域外の領域に形成した操作部は、適切に操作できたか否かを認識しにくい。
【０００７】
この発明は、上記のような課題を解決するためになされたもので、タッチ操作領域の画像表示領域以外の領域に形成した操作部を操作した指示物に対して適切に操作感を与えることができる表示装置を得ることを目的とする。
【課題を解決するための手段】
【０００８】
この発明に係る表示装置は、画像表示領域よりも広いタッチ操作領域を有するタッチパネルと、タッチ操作領域の画像表示領域外の領域に形成した操作部と、操作部の操作された箇所に操作感を与える操作感発生部とを備える。
【発明の効果】
【０００９】
この発明によれば、タッチ操作領域の画像表示領域以外の領域に形成した操作部を操作した指示物に対して適切に操作感を与えることができるという効果がある。
【図面の簡単な説明】
【００１０】
【図１】この発明の実施の形態１に係る表示装置を示す図である。
【図２】実施の形態１に係る画像表示領域外に形成した操作部を示す図である。
【図３】実施の形態１に係る画像表示領域外に形成した操作部の他の構成例を示す断面図である。
【図４】この発明の実施の形態２に係る表示装置を示す図である。
【図５】実施の形態２に係る画像表示領域外に形成した操作部の他の構成例を示す断面図である。
【図６】この発明の実施の形態３に係る表示装置を示す図である。
【図７】この発明の実施の形態４に係る表示装置を示す図である。
【発明を実施するための形態】
【００１１】
実施の形態１．
図１は、この発明の実施の形態１に係る表示装置を示す図であり、図１（ａ）は、実施の形態１に係る表示装置の正面図、図１（ｂ）は、図１（ａ）のＡ−Ａ線で切った断面を概略的に示す断面矢示図である。図１に示す表示装置１は、例えばスマートフォンやタブレットＰＣ、ＰＮＤ（Ｐｏｒｔａｂｌｅ  Ｎａｖｉｇａｔｉｏｎ  Ｄｅｖｉｃｅ）などの情報処理機器に適用される。表示装置１の筐体ケース２は、図１（ｂ）に示すように、タッチパネル３を組み付ける画像表示面側が開口した箱状の筐体であり、液晶表示パネル４および内部回路５が収納される。
タッチパネル３は、例えば、スペーサ部材を介して２枚の透明電極を重ね合わせた構成を有しており、指示物による押下で局部的に上下の透明電極が接触すると、その押下位置の座標が検出されるようになっている。
【００１２】
また、表示装置１は、図１（ａ）に示すように、タッチパネル３のタッチ操作領域（長手方向サイズａ）が画像表示領域（長手方向サイズｂ）より広く、画像表示領域内に操作領域３ａ（長手方向サイズｃ）が形成されており、画像表示領域外に操作領域３ｂ（長手方向サイズｄ）が形成されている。
操作領域３ａは、その操作部の内容を示す記号または文字がアイコン画像またはボタン画像（１（ａ）の例ではメールアイコン、カメラアイコン、電話のアイコン）として画像表示領域に表示される。これらのアイコン画像またはボタン画像は、指示物によるタッチ操作され、操作内容に応じた処理が実施される。このとき、操作感は発生しない。
【００１３】
操作領域３ｂに対応するタッチパネル３の背面側の領域には、図１（ｂ）に示すように非透光性の印刷を施した印刷部６が形成されている。なお、印刷部６は、操作領域３ｂの操作部の内容を示す記号または文字の部分の非透光性印刷が除かれているか、もしくは、記号または文字の部分の非透光性印刷を除いた後に透光性の印刷を施している。操作部の内容を示す記号または文字の部分は、タッチパネル３の背面側に配置された光源からの光を透過して照明される。
【００１４】
この発明に係る表示装置１は、操作領域３ｂの操作部を押下（図１（ｂ）の矢印方向の操作）すると、操作を行った指やスタイラスペン等の指示物に対し操作感を与える操作感発生部７を備える。操作感発生部７が発生する操作感は、指示物が操作領域３ｂの操作部を押し込んで離す操作を行ったときに発生する操作感覚であって、クリック感や振動等が挙げられる。
【００１５】
図２は、実施の形態１に係る画像表示領域外に形成した操作部を示す図であり、操作領域３ｂの操作部の部分を正面から見た図である。図２に示すように、操作感発生部７は、各操作部の内容を示す記号（または文字）とは若干ずれた位置にある。すなわち、操作領域３ｂの背面側において、記号（または文字）を照明する照明部３ｂ−１と操作感発生部７とが隣接している。このように構成することで、操作部を視覚的に特定するための照明と操作部への操作を触覚的に認識させるための操作感との双方を得ることができる。
【００１６】
図３は、実施の形態１に係る画像表示領域外に形成した操作部の他の構成例を示す断面図である。図３に示す構成では、タッチパネル３の背面側と液晶表示パネル４の表示面側との間、操作感発生部７の背面側に柔軟な透明樹脂８を充填している。透明樹脂８は、透明性が高く、耐衝撃性に強い樹脂であり、例えば、ポリカーボネート（ＰＣ）樹脂、あるいはアクリル樹脂（ポリメタクリル酸メチル（ＰＭＭＡ）樹脂）を使用する。
【００１７】
操作感発生部７で発生した操作感をより効果的に指示物に伝えるには、操作領域３ｂの操作部が押下された分だけ弾性変形することが望ましい。
そこで、タッチパネル３として外部からの荷重で弾性変形するフィルム状の部材で構成された、いわゆるフィルム状タッチパネルを使用する。このとき、液晶表示パネル４や操作感発生部７自体に強い衝撃が加わらないようにするため、図３に示すような透明樹脂８を充填する。これにより、過剰な荷重が透明樹脂８に吸収される。
【００１８】
以上のように、この実施の形態１によれば、画像表示領域よりも広いタッチ操作領域を有するタッチパネル３と、タッチ操作領域の画像表示領域外の領域３ｂに形成した操作部と、操作部を操作した指示物に操作感を与える操作感発生部７とを備える。
このように構成することで、タッチ操作領域の画像表示領域以外の領域３ｂに形成した操作部を操作した指示物に対して適切に操作感を与えることができる。
【００１９】
実施の形態２．
上記実施の形態１では、操作領域３ｂがタッチ操作領域の他の領域と同一平面にある、すなわち同一の表面状態である場合を示した。この構成では、触覚だけで画像表示領域外の操作部であるのか、画像表示領域内の操作部であるのかを区別できない。
そこで、この実施の形態２では、画像表示領域外の操作部をタッチ操作領域の他の領域と立体的に異なる表面状態にしている。例えば、凸出または凹没した表面状態とする。
これにより、触覚により画像表示領域外の操作部をその他の操作部から区別することができる。
【００２０】
図４は、この発明の実施の形態２に係る表示装置を示す図であって、画像表示領域外の操作部が凸出した表面状態を有している。なお、図４（ａ）は、実施の形態２に係る表示装置１Ａを、図１（ａ）のＡ−Ａ線と同様の位置で切った断面を概略的に示す断面矢示図であり、図４（ｂ）は、操作領域３ｂ１の操作部の部分の正面図であり、図４（ｃ）は、操作領域３ｂ１の操作部の他の構成例を示す断面図である。
実施の形態２に係る表示装置１Ａは、上記実施の形態１と同様に、タッチパネル３のタッチ操作領域が画像表示領域よりも広く、画像表示領域内に操作領域３ａが形成されており、画像表示領域外に操作領域３ｂ１が形成されている。
【００２１】
タッチパネル３には、図３で示したフィルム状タッチパネルを使用し、操作領域３ｂ１の操作部に対応する部分を、図４（ａ）に示すようにタッチ操作領域の他の領域に対して盛り上がらせる。操作領域３ｂ１の背面側には、上記実施の形態１と同様に、非透光性の印刷を施した印刷部６を形成する。なお、印刷部６は、操作領域３ｂ１の操作部の内容を示す記号または文字の部分の非透光性印刷が除かれているか、もしくは、記号または文字の部分の非透光性印刷を除いた後に透光性の印刷を施している。
【００２２】
操作領域３ｂ１の操作部の背面側には、操作感発生部として機能する膨張素子９およびその制御回路１０が設置される。膨張素子９は、電気信号の供給によって膨張する素子である。例えば、膨張素子９として、操作領域３ｂ１の操作部の背面側に、電解液の封止構造を有した素子を設ける。この素子は、電気信号が供給されると、内部に気体を発生して膨張する。制御回路１０は、膨張素子９の膨張を制御する制御部であって、操作部が押下操作している操作部に対応する膨張素子９に電気信号を供給する。
【００２３】
操作領域３ｂ１の凸出した操作部を押下すると、制御回路１０が、タッチパネル３のタッチ検出信号を読み取り、当該操作部に対応する位置の膨張素子９に電気信号を供給する。膨張素子９は、制御回路１０から電気信号が供給されると、指示物の押下操作に抗して膨張し、さらに押下すると押し込まれる。このときの反力の遷移は、操作感（クリック感）として指示物に与えられる。
【００２４】
また、図４（ｂ）に示すように、膨張素子９および制御回路１０は、各操作部の内容を示す記号（または文字）とは若干ずれた位置にある。すなわち、操作領域３ｂ１の背面側において、記号（または文字）を照明する照明部３ｂ−１と膨張素子９および制御回路１０とが隣接している。このように構成することで、操作部を視覚的に特定するための照明と操作部への操作を触覚的に認識させるための操作感との双方を得ることができる。
【００２５】
さらに、図４（ｃ）に示すように、タッチパネル３の背面側と液晶表示パネル４の表示面側との間、制御回路１０の背面側に、図３の構造と同様に柔軟な透明樹脂８を充填してもよい。タッチパネル３を介して膨張素子９の膨張による反力を指示物に伝える必要があるため、実施の形態２では、タッチパネル３としてフィルム状タッチパネルが望ましい。
従って、液晶表示パネル４や膨張素子９および制御回路１０に強い衝撃が加わらないようにするため、透明樹脂８を充填する。これにより、過剰な荷重が透明樹脂８に吸収される。
【００２６】
図５は、実施の形態２に係る画像表示領域外に形成した操作部の他の構成例を示す断面図である。図５に示す表示装置１Ｂは、図４の構成とは反対に、画像表示領域外の操作部が凹没した表面状態を有している。表示装置１Ｂにおいても、タッチパネル３のタッチ操作領域が画像表示領域よりも広く、画像表示領域内に操作領域３ａが形成されており、画像表示領域外に操作領域３ｂ２が形成されている。
【００２７】
操作領域３ｂ２の操作部に対応する部分を、図５に示すように、タッチ操作領域の他の領域に対して凹ませる。操作領域３ｂ２の背面側には、上記実施の形態１と同様に、非透光性の印刷を施した印刷部６を形成する。操作領域３ｂ２の操作部の背面側には、操作感発生部を構成する膨張素子９およびその制御回路１０が設置される。
【００２８】
操作領域３ｂ２の凹没した操作部を押下すると、制御回路１０が、タッチパネル３のタッチ検出信号を読み取り、当該操作部に対応する位置の膨張素子９に電気信号を供給する。膨張素子９は、制御回路１０から電気信号が供給されると、指示物の押下操作に抗して膨張し、さらに押下すると押し込まれる。このときの反力の遷移は、凸出した操作部の場合と同様に、操作感（クリック感）として指示物に与えられる。
【００２９】
上記説明では、画像表示領域外の操作部が凸出または凹没した構成を示したが、本発明は、これに限定されるものではない。すなわち、触覚によって画像表示領域外の操作部を認識できる程度にその他の領域とは立体的に異なる表面状態であればよい。
例えば、操作部を凸または凹形状とするのではなく、操作領域３ｂ１全体の表面を細かな凹凸としたディンプル形状としたり、操作領域３ｂ１全体の表面状態にざらつきを持たせたりすることが考えられる。
【００３０】
また、表面状態が凸出または凹没した操作部に膨張素子９および制御回路１０を設ける場合を示したが、上記実施の形態１と同様に、平坦な操作部に膨張素子９および制御回路１０を設け、押下操作に抗して膨張（平坦な状態から盛り上がらせる）させて、指示物に反力（操作感）を与える構成であってもよい。
【００３１】
以上のように、この実施の形態２によれば、操作領域３ｂ１（または操作領域３ｂ２）の操作部が、タッチ操作領域の当該操作部以外の領域と立体的に異なる表面状態である。
特に、タッチ操作領域の当該操作部以外の領域に対して凸出または凹没した表面状態とする。このように構成することで、触覚によって画像表示領域外の操作部をその他の操作部から区別することができる。例えば、車載用情報機器の場合、運転に注力して表示装置を見ることができないため、触覚による操作部の認識は有効である。
【００３２】
また、この実施の形態２によれば、膨張素子９と制御回路１０が、指示物による押下に抗して膨張することでその反力を操作感として与えるので、操作領域３ｂ１（または操作領域３ｂ２）に形成した操作部を操作した指示物に対して、適切に操作感を与えることができる。
【００３３】
実施の形態３．
図６は、この発明の実施の形態３に係る表示装置を示す図であり、実施の形態３に係る表示装置１Ｃは、画像表示領域外の操作部を操作した指示物に対して振動を操作感として与える。なお、図６（ａ）は、実施の形態３に係る表示装置１Ｃを、図１（ａ）のＡ−Ａ線と同様の位置で切った断面を概略的に示す断面矢示図であり、図６（ｂ）は、画像表示領域外の操作部の部分の正面図であり、図６（ｃ）は、画像表示領域外の操作部の他の構成例を示す断面図である。実施の形態３に係る表示装置１Ｃは、上記実施の形態１と同様に、タッチパネル３のタッチ操作領域が画像表示領域よりも広く、画像表示領域内に操作領域３ａが形成されており、画像表示領域外に操作領域３ｂが形成されている。
【００３４】
操作領域３ｂの表面状態は、タッチ操作領域の他の領域と同一である。また、操作領域３ｂの背面側には、上記実施の形態１と同様に、非透光性の印刷を施した印刷部６が形成される。なお、印刷部６は、操作領域３ｂの操作部の内容を示す記号または文字の部分の非透光性印刷が除かれているか、もしくは記号または文字の部分の非透光性印刷を除いた後に透光性の印刷を施している。
操作領域３ｂの操作部の背面側には、操作感発生部として機能する振動回路１１が設置される。振動回路１１は、電気信号の供給によって振動する振動素子と、これに電気信号を供給する制御回路から構成される。振動素子としては、例えば圧電素子が利用される。
【００３５】
操作領域３ｂの操作部を押下すると、振動回路１１が、タッチパネル３のタッチ検出信号を読み取り、当該操作部に対応する振動素子に電気信号を供給する。振動素子は、電気信号が供給されると振動して、タッチパネル３に伝達する。この振動が操作感として指示物に与えられる。
【００３６】
また、図６（ｂ）に示すように、振動回路１１は、各操作部の内容を示す記号（または文字）とは若干ずれた位置にある。すなわち、操作領域３ｂの背面側において、記号（または文字）を照明する照明部３ｂ−１と振動回路１１とが隣接している。このように構成することで、操作部を視覚的に特定するための照明と操作部への操作を触覚的に認識させるための操作感との双方を得ることができる。
【００３７】
さらに、図６（ｃ）に示すように、タッチパネル３の背面側と液晶表示パネル４の表示面側との間、振動回路１１の背面側に、図３の構造と同様に柔軟な透明樹脂８を充填してもよい。タッチパネル３を介して振動素子の振動を指示物に伝える必要があるため、実施の形態３では、タッチパネル３としてフィルム状タッチパネルが望ましい。
従って、液晶表示パネル４や振動回路１１に強い衝撃が加わらないようにするために、透明樹脂８を充填する。これにより、過剰な荷重が透明樹脂８に吸収される。
【００３８】
以上のように、この実施の形態３によれば、振動回路１１が、操作感として指示物に振動を与えるので、タッチ操作領域の画像表示領域以外の領域３ｂに形成した操作部を操作した指示物に対して適切に操作感を与えることができる。
【００３９】
なお、上記実施の形態３は、図１の構成における操作感発生部７として振動回路１１を設ける場合を示したが、上記実施の形態２の構成、すなわち図４の構成における膨張素子９および制御回路１０の代わりに振動回路１１を設けてもよい。このように構成しても、上記と同様の効果を得ることができる。
【００４０】
実施の形態４．
図７は、この発明の実施の形態４に係る表示装置を示す図であり、図７（ａ）は、実施の形態１に係る画像表示領域外の操作部の正面図を示し、図７（ｂ）は、図７（ａ）のＢ−Ｂ線で切った概略的な断面図および内部回路５の機能ブロックを示している。
図７に示す表示装置１Ｄは、例えば上記実施の形態３と同様に画像表示領域外の操作部を操作した指示物に振動を操作感として与える。
【００４１】
操作領域３ｂの背面側には、上記実施の形態１と同様に、非透光性の印刷を施した印刷部６が形成される。なお、印刷部６は、操作領域３ｂの操作部の内容を示す記号または文字の部分の非透光性印刷が除かれているか、もしくは記号または文字の部分の非透光性印刷を除いた後に透光性の印刷を施している。また、操作部の内容を示す記号または文字の部分は、図７（ｂ）に示すように、タッチパネル３の背面側に配置された光源１２からの光を透過して照明される。
【００４２】
図７（ａ）に示すように、振動回路１１は、各操作部の内容を示す記号（または文字）とは若干ずれた位置にある。すなわち、操作領域３ｂの背面側において、記号（または文字）を照明する照明部３ｂ−１と振動回路１１が隣接している。このように構成することで、操作部を視覚的に特定するための照明と操作部への操作を触覚的に認識させるための操作感との双方を得ることができる。
【００４３】
内部回路５は、機能ブロックとして制御部５ａおよび点灯制御部５ｂを備える。制御部５ａは、指示物による操作に応じて点灯制御部５ｂによる光源１２の点灯動作を制御する制御部である。また、点灯制御部５ｂは、制御部５ａからの制御に従い、光源１２の点灯動作を制御する制御部である。
【００４４】
制御部５ａは、指示物による操作に応じて点灯制御部５ｂによる光源１２の点灯動作を制御することで、指示物による操作に応じた照明状態とする。例えば、操作前は操作部を赤色の光で照明し、指示物による操作に応じて青色の光で照明する。ここで、赤色の照明は、情報処理が停止中であることを示し、青色の照明は、指示物による操作に応じた情報処理が進行中であることを示している。
【００４５】
また、制御部５ａは、ナビゲーションシステム１３から取得した時間情報、速度情報、移動量情報に基づいて周囲の状況を判別し、判別した周囲の状況に応じた照明状態になるように点灯制御部５ｂを制御する。
すなわち、制御部５ａには、時間情報、速度情報および移動量情報から判別される周囲状況に対応付けられた各種の点灯パターンがあらかじめ設定されており、光源１２が、ナビゲーションシステム１３から取得した各種情報に対応する周囲状況の点灯パターンとなるように点灯制御部５ｂを制御する。点灯パターンは、光源１２による照明の輝度（光の明るさ）、色度（光の色味）、連続点灯または非連続点灯（点滅）の違いで規定される。
【００４６】
例えば、表示装置１Ｄが車載用情報機器に搭載されている場合、速度が中低速であり、移動量が所定範囲以下であると、高速かつ長時間走行している場合と比較して運転に注力しなくてもよい状況であるため、照明の輝度および色味を所定値以下とし、周期の長い点滅を行う点灯パターンとする。これにより、車両バッテリの電力消費も低減できる。
一方、速度が高速であり、移動量が所定範囲を超えると、通常よりも運転に注力しなければならない状況であるため、照明の輝度および色味を所定値を超える値とし、連続点灯または周期の短い点滅を行う点灯パターンとして操作部の視認性を上げる。これにより、運転者は、瞬時に表示装置１Ｄの操作部（画像表示領域外の操作部）を視認することができる。
【００４７】
また、時間情報としては、ナビゲーションシステム１３と連動して通学路付近を走行している場合に通学時間帯であれば、上述の視認性を上げる点灯パターンとすることが考えられる。画像表示領域外の操作部は、あらかじめ決められた操作内容（“戻る”、“検索”、“メニュー表示”など）に対応し、また画像表示領域内の操作部に比べて簡単な操作方法（タッチ操作など）を受け付ける操作部である。このため、車両の運転時であっても操作される可能性が高い。そこで、上述の点灯パターンで照明することで、さらに利便性を向上できる。
なお、時間情報、速度情報、移動量情報から判別される周囲状況と各種の点灯パターンとの対応関係は、入力装置を用いてユーザが適宜設定できるようにしてもよい。
【００４８】
ナビゲーションシステム１３は、経路探索、経路案内および地図表示といったナビゲーション処理を行うナビゲーションシステムである。実施の形態１に係る表示装置１Ｄは、ナビゲーションシステム１３とは別の車載用情報機器の表示装置であってもよく、ナビゲーションシステム１３に搭載された表示装置であってもよい。
なお、ナビゲーションシステム１３は、ＧＰＳ（Ｇｌｏｂａｌ  Ｐｏｓｉｔｉｏｎｉｎｇ  Ｓｙｓｔｅｍ）受信機により受信されたＧＰＳ電波の解析結果から、時間情報や自車両の位置情報（緯度経度）を取得する。また、加速度センサ等による自立航法装置を利用して位置情報を検出してもよい。
【００４９】
以上のように、この実施の形態４によれば、画像表示領域外の操作部をタッチパネル３の背面側から照明する照明部３ｂ−１と、指示物による操作に応じて照明部３ｂ−１の照明動作を制御する制御部５ａおよび点灯制御部５ｂとを備える。このように構成することで、上記実施の形態と同様の効果が得られるとともに、画像表示領域外の操作部の視認性および利便性を向上させることができる。
【００５０】
また、この実施の形態４によれば、制御部５ａおよび点灯制御部５ｂが、操作部の照明を周囲の状況に応じて異なる照明状態に変更するので、画像表示領域外の操作部の視認性および利便性を向上させることができる。
【００５１】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５２】
１，１Ａ〜１Ｄ  表示装置、２  筐体ケース、３  タッチパネル、３ａ，３ｂ，３ｂ１，３ｂ２  操作領域、３ｂ−１  照明部、４  液晶表示パネル、５  内部回路、５ａ  制御部、５ｂ  点灯制御部、６  印刷部、７  操作感発生部、８  透明樹脂、９  膨張素子、１０  制御回路、１１  振動回路、１２  光源、１３  ナビゲーションシステム。
【手続補正２】
【補正対象書類名】特許請求の範囲
【補正対象項目名】全文
【補正方法】変更
【補正の内容】
【特許請求の範囲】
【請求項１】
画像表示領域よりも広いタッチ操作領域を有するタッチパネルと、
前記タッチ操作領域の前記画像表示領域外の領域に形成した操作部と、
前記操作部の操作された箇所に操作感を与える操作感発生部とを備える表示装置。
【請求項２】
前記画像表示領域は、該画像表示領域の操作に応じて表示画面が変化し、
前記操作部は、該操作部の操作に応じて操作感が発生する
ことを特徴とする請求項１記載の表示装置。
【請求項３】
前記操作部は、前記タッチ操作領域の当該操作部以外の領域と立体的に異なる表面状態であることを特徴とする請求項１記載の表示装置。
【請求項４】
前記操作部は、前記タッチ操作領域の当該操作部以外の領域に対し凸出または凹没した表面状態であることを特徴とする請求項３記載の表示装置。
【請求項５】
前記操作感発生部は、前記操作部の押下に抗して膨張することでその反力を操作感として与えることを特徴とする請求項１記載の表示装置。
【請求項６】
前記操作感発生部は、前記操作部のさらなる押下により押し込まれることで操作感を与えることを特徴とする請求項５記載の表示装置。
【請求項７】
前記操作感発生部は、操作感として前記操作部に振動を与えることを特徴とする請求項１記載の表示装置。
【請求項８】
前記タッチパネルの背面側から前記操作部を照明する照明部と、
前記操作部の操作に応じて前記照明部の照明動作を制御する制御部とを備えることを特徴とする請求項１記載の表示装置。
【請求項９】
前記操作感発生部は、操作感として前記操作部に振動を与え、かつ照明する位置と振動を与える位置とが異なることを特徴とする請求項８記載の表示装置。
【請求項１０】
前記制御部は、前記操作部の照明を周囲の状況に応じて異なる照明状態に変更することを特徴とする請求項８記載の表示装置。
【手続補正書】
【提出日】平成27年7月14日(2015.7.14)
【手続補正１】
【補正対象書類名】明細書
【補正対象項目名】０００８
【補正方法】変更
【補正の内容】
【０００８】
この発明に係る表示装置は、画像表示領域よりも広いタッチ操作領域を有するタッチパネルと、画像表示領域内に形成した第１の操作部と、タッチ操作領域の画像表示領域外の領域に形成した第２の操作部と、第２の操作部の操作された箇所に操作感として振動を与える操作感発生部と、タッチパネルの背面側から第２の操作部を照明する照明部と、第２の操作部の操作に応じて照明部の照明動作を制御する制御部とを備える。
【手続補正２】
【補正対象書類名】特許請求の範囲
【補正対象項目名】全文
【補正方法】変更
【補正の内容】
【特許請求の範囲】
【請求項１】
画像表示領域よりも広いタッチ操作領域を有するタッチパネルと、
前記画像表示領域内に形成した第１の操作部と、
前記タッチ操作領域の前記画像表示領域外の領域に形成した第２の操作部と、
前記第２の操作部の操作された箇所に操作感として振動を与える操作感発生部と、
前記タッチパネルの背面側から前記第２の操作部を照明する照明部と、
前記第２の操作部の操作に応じて前記照明部の照明動作を制御する制御部と
を備える表示装置。
【請求項２】
前記画像表示領域は、該画像表示領域の操作に応じて表示画面が変化し、
前記第２の操作部は、該第２の操作部の操作に応じて操作感が発生する
ことを特徴とする請求項１記載の表示装置。
【請求項３】
前記第２の操作部は、前記タッチ操作領域の当該第２の操作部以外の領域と立体的に異なる表面状態であることを特徴とする請求項１記載の表示装置。
【請求項４】
前記第２の操作部は、前記タッチ操作領域の当該第２の操作部以外の領域に対し凸出または凹没した表面状態であることを特徴とする請求項３記載の表示装置。
【請求項５】
前記操作感発生部は、前記第２の操作部の押下に抗して膨張することでその反力を操作感として与えることを特徴とする請求項１記載の表示装置。
【請求項６】
前記操作感発生部は、前記第２の操作部のさらなる押下により押し込まれることで操作感を与えることを特徴とする請求項５記載の表示装置。
【請求項７】
前記照明部が前記第２の操作部を照明する位置と前記操作感発生部が前記振動を前記第２の操作部に与える位置とが異なることを特徴とする請求項１記載の表示装置。
【請求項８】
前記制御部は、前記第２の操作部の照明を周囲の状況に応じて異なる照明状態に変更することを特徴とする請求項１記載の表示装置。
【請求項９】
画像表示領域よりも広いタッチ操作領域を有するタッチパネルと、
前記画像表示領域内に形成した第１の操作部と、
前記タッチ操作領域の前記画像表示領域外の領域に形成した第２の操作部と、
前記第２の操作部の操作された箇所に操作感として押下に抗して膨張することでその反力を与える操作感発生部と、
前記タッチパネルの背面側から前記第２の操作部を照明する照明部と、
前記第２の操作部の操作に応じて前記照明部の照明動作を制御する制御部と
を備える表示装置。
【請求項１０】
前記操作感発生部は、前記第２の操作部のさらなる押下により押し込まれることで操作感を与えることを特徴とする請求項９記載の表示装置。
【請求項１１】
画像表示領域よりも広いタッチ操作領域を有するタッチパネルと、
前記画像表示領域内に形成した第１の操作部と、
前記タッチ操作領域の前記画像表示領域外の領域に形成し、前記タッチ操作領域の当該第２の操作部以外の領域と立体的に異なる表面状態である第２の操作部と、
前記タッチパネルの背面側から前記第２の操作部を照明する照明部と、
前記第２の操作部の操作に応じて前記照明部の照明動作を制御する制御部と
を備える表示装置。
【請求項１２】
前記第２の操作部は、前記タッチ操作領域の当該第２の操作部以外の領域に対し凸出または凹没した表面状態であることを特徴とする請求項１１記載の表示装置。
【請求項１３】
前記第２の操作部の押下に抗して膨張することでその反力を操作感として与える操作感発生部を備えることを特徴とする請求項１１記載の表示装置。
【国際調査報告】
2013186816.tif 000010
2013186816.tif 000011
2013186816.tif 000012